(57)【要約】【課題】足部に変形や機能障害を有する使用者が容易に着脱することができる靴を提供する。【解決手段】使用者の足を挿入する挿入口６０を緩締するベルト部４０と、ベルト部４０の長さを調節する長さ調節部４２と、靴の一方の側面部２０においてベルト部４０と連結し、側面部２０とは反対側の靴の側面部１０に係止することで、ベルト部４０に挿入口６０を緊締させる可動係止片５０と、を有し、可動係止片５０のみが反対側の靴の側面側１０に脱着可能である靴。【選択図】図１
2020182658.tif 000002
【特許請求の範囲】
【請求項１】
足部に変形や機能障害を有する人用の靴であって、
挿入口と、
舌片と、
舌片を緩締するベルト部と、
靴の一方の側面に固定されており、挿通された前記ベルト部の長さを調節する長さ調節部（４２）と、
長さ調節部と反対側の靴の側面に設けられた甲側面係止片と、
前記ベルト部が挿通された可動係止片と、を有し、
前記可動係止片が、前記甲側面係止片に着脱自在に係止される、靴。
【請求項２】
前記舌片が、踵部外縁部と切れ目なく連続する外縁部を有し、前記舌片の外縁部および前記踵部外縁部とが前記挿入口の外縁部を構成する、請求項１に記載の靴。
【請求項３】
前記舌片が、つま先根元部から立ち上がり、前記挿入口がつま先根元部近傍まで開口するように形成されている、請求項１ないし３のいずれかに記載の靴。
【請求項４】
前記挿入口の外縁部よりも上方に突出している舌片を有し、靴の側面が踵上部側面を有するブーツ型である、請求項１に記載の靴。
【請求項５】
前記可動係止片は、面ファスナーまたはマグネットを有し、
前記甲側面係止片は、前記可動係止片を係止するための面ファスナーまたはマグネットを有する、請求項１ないし４のいずれかに記載の靴。
【請求項６】
前記可動係止片および前記甲側面係止片が、ロック機構を有する雄具および雌具から構成されている、請求項１ないし４のいずれかに記載の靴。
【請求項７】
前記舌片を挟んで前記甲側面係止片の反対側の側面に設けられ、前記ベルト部が挿通される第１の折り返し部と、
前記舌片を挟んで前記第１の折り返し部の反対側の側面に設けられ、前記ベルト部が挿通される第２の折り返し部と、を備える、請求項１ないし５のいずれかに記載の靴。
【請求項８】
前記可動係止片は、前記ベルト部の端部を収納する収納部を備える、請求項１ないし７のいずれかに記載の靴。
【発明の詳細な説明】
【技術分野】
【０００１】
本発明は、足部に変形や機能障害を有する人用の靴に関する。
【背景技術】
【０００２】
近年、高齢者、足部障がい者、下肢装具の着用者などでも着脱しやすい靴が求められている。このような靴として、片手で簡単にスピーディに靴ベルトおよび張り調節ベルトを締めたり緩めたりできるとともに、足を締め過ぎることなく且つしっかり固定できるベルトを備えた靴が開示されている（たとえば特許文献１）。
特許文献１に記載の靴では、張り調節ベルト７と靴ベルト１０の２つのベルトを有しており、張り調節ベルト７および靴ベルト１０はともに一端に面ファスナー７ａ，１０ａを有し、これら面ファスナー７ａ，１０ａを、靴の外側部５および内側部４に設けられた面ファスナー５ａ，４ａから取り外すことで、使用者の足を挿入する挿入口を広げることが可能となっている。
【先行技術文献】
【特許文献】
【０００３】
【特許文献１】特開２０１８−６８５３２号公報
【発明の概要】
【発明が解決しようとする課題】
【０００４】
特許文献１に記載の靴では、（１）張り調節ベルト７の面ファスナー７ａを靴の外側部５の面ファスナー５ａから取り外すことと、（２）靴ベルト１０の面ファスナー１０ａを靴の内側部４の面ファスナー４ａから取り外すことの２段階で足を入れる挿入口を広げることができるが、挿入口の広さを自在に調節することはできず、また、挿入口が広く必要な下肢装具の着用者やむくみを有する障がい者が装着する場合には、毎回、張り調節ベルト７と靴ベルト１０とを靴から取り外す作業が必要となり、使用者の負担となる場合があった。
【０００５】
本発明は、足部に変形や機能障害を有する使用者が容易に着脱することが可能な靴を提供することである。
【課題を解決するための手段】
【０００６】
本発明は、以下の（１）〜（８）の靴に関する。
（１）本発明に係る靴は、足部に変形や機能障害を有する人用の靴であって、挿入口と、舌片と、舌片を緩締するベルト部と、靴の一方の側面に固定されており、挿通された前記ベルト部の長さを調節する長さ調節部（４２）と、長さ調節部と反対側の靴の側面に設けられた甲側面係止片と、前記ベルト部が挿通された可動係止片と、を有し、前記可動係止片が、前記甲側面係止片に着脱自在に係止される。
（２）上記靴において、前記舌片が、踵部外縁部と切れ目なく連続する外縁部を有し、前記舌片の外縁部および前記踵部外縁部とが前記挿入口の外縁部を構成するように構成することができる。
（３）上記靴において、前記舌片が、つま先根元部から立ち上がり、前記挿入口がつま先根元部近傍まで開口するように形成されているように構成することができる。
（４）上記靴において、前記挿入口の外縁部よりも上方に突出している舌片を有し、靴の側面が踵上部側面を有するブーツ型であるように構成することができる。
（５）上記靴において、前記可動係止片は、面ファスナーまたはマグネットを有し、
前記甲側面係止片は、前記可動係止片を係止するための面ファスナーまたはマグネットを有するように構成することができる。
（６）上記靴において、前記可動係止片および前記甲側面係止片が、ロック機構を有する雄具および雌具から構成されているように構成することができる。
（７）上記靴において、前記舌片を挟んで前記甲側面係止片の反対側の側面に設けられ、前記ベルト部が挿通される第１の折り返し部と、前記舌片を挟んで前記第１の折り返し部の反対側の側面に設けられ、前記ベルト部が挿通される第２の折り返し部と、を備えるように構成することができる。
（８）上記靴において、前記可動係止片は、前記ベルト部の端部を収納する収納部を備えるように構成することができる。
【発明の効果】
【０００７】
本発明によれば、足部に変形や機能障害を有する使用者が容易に着脱することができる靴を提供することができる。
【図面の簡単な説明】
【０００８】
【図１】本実施形態に係る靴（閉状態）を示す正面図である。
【図２】本実施形態に係る靴（開状態）を示す斜視図である。
【図３】本実施形態に係る靴（開状態）を内側部方向から見た側面図である。
【図４】本実施形態に係る靴（開状態）を示す平面図である。
【図５】本実施形態に係る長さ調節機構を示す斜視図である。
【図６】本実施形態に係る長さ調節機構を説明するための図である。
【図７】可動係止片の第１変形例を説明するための図である。
【図８】可動係止片の第２変形例を説明するための図である。
【発明を実施するための形態】
【０００９】
本発明に係る靴の実施形態を図に基づいて説明する。本実施形態に係る靴は、下肢装具の装着者、高齢者、リューマチ等で足趾に変形や機能障害がある障がい者などが容易に靴を装着できるように開発された靴である。以下に係る実施形態では、ブーツ型の靴を例示して説明するが、これに限定されず、スニーカー型の靴など、ブーツ型以外の靴にも適用することができる。また、以下においては、左足用の靴を例示して説明するが、右足用の靴も同様に構成することができる。
【００１０】
図１は、本実施形態に靴１を示す正面図であり、ベルト部４０を締めている状態（閉状態）を示している。また、図２は、本実施形態に係る靴１を示す斜視図であり、ベルト部４０を緩めた状態（状態）を示している。図１および図２に示すように、靴１は、内側部１０と、外側部２０と、甲部３０と、舌片（３２〜３４）と、ベルト部４０と、可動係止片５０とを有する。
【００１１】
内側部１０には、図１に示すように、ベルト部４０を靴１の外側において折り返す第１折り返し部１１と、可動係止片５０が有する面ファスナー５２と接合し可動係止片５０を内側部１０に係止させる甲側面係止片１２とが縫合により固定されている。本実施形態では、甲側面係止片１２を雌部材の面ファスナーとし、面ファスナー５２とを雄部材としているが、逆にしてもよい。面ファスナー５２に変えマグネットを採用し、甲側面係止片１２にもマグネットを採用してもよい。この構成によれば、可動係止片５０の片手での取り外しが面ファスナーと比べて一層容易となる。
【００１２】
外側部２０には、ベルト部４０を靴１の内側において折り返す第２折り返し部２１と、固定部２２とが縫合により固定されている。固定部２２は、ベルト部４０と同じ非伸縮性の帯状部材を環状に縫製して形成されており、後述する長さ調節部４２に挿通されることで、長さ調節部４２と連結している。
【００１３】
舌片外縁部３４は、図２および図３に示すように、踵部外縁部６１と切れ目なく連続しており、通常よりも相当大きい挿入口６０を形成する。また、舌片中間部３２および舌片上部３３も内側部１０および外側部２０と切れ目なく連続しているので、雪や雨を防ぐと共に防寒機能も奏することができる。また、舌片（３２〜３４）が想定外の場所に位置することで、使用者が靴１を履く邪魔となってしまうことを有効に防ぐことができる。なお、図３は、本実施形態に係る靴１を内側部１０から見た側面図である。
【００１４】
また、舌片（３２，３３）は、図２および図３に示すように、第１ないし第５中足骨と第１〜５基節骨の境界付近に位置するつま先根元部３１から略鉛直方向に立ち上がるように形成されている。これにより、図３および図４に示すように、挿通孔６０がつま先根元部３１まで開き、使用者は足を靴１のつま先根元部３１まで直接入れることができ、また、つま先根元部３１から足を直接出すことができるため、靴１の着脱が容易となる。なお、図４は、靴１を上から見た平面図である。
【００１５】
さらに、図２および図３に示すように、舌片上部３３は、内側部１０の上端部１３、外側部２０の上端部１４および踵部外縁部６１よりも上方に（たとえば、５ｃｍ以上）突出している。これにより、使用者が舌片上部３３を掴んで、使用者の足を靴１のつま先根元部３１まで直接に入れることができるため、靴１の着脱をより容易に行える。このように舌片上部３３を通常よりも長く構成したのは、挿入口６０を通常よりも大きく（たとえば、踵から指骨と中指骨の境界付近まで）構成したことに関係する。挿入口６０を大きく構成すると、下肢装具非装着者が着用した際に、挿入口６０内に余分な空間ができてしまうため、舌片中間部３２を折り込むことで余分な空間を満たし、ホールド性を高めることが必要となるからである。下肢装具非装着者が着用した際には、舌片中間部３２は足首に巻き付けられるため、装着時に開口部から上方に出る量はさほど多くない。
【００１６】
ベルト部４０は非伸縮性の帯状部材により構成されており、図１および図２に示すように、ベルト先端部４１が、甲部３０のつま先根元部３１付近で縫合されて固定されている。また、図１および図２に示すように、ベルト部４０は、第１折り返し部１１で折り返された後に、第２折り返し部２１を挿通し、第２折り返し部２１において折り返し可能となっている。
【００１７】
また、ベルト部４０の一部は、可動係止片５０の挿通孔５１を挿通した後に、長さ調節部４２で折り返されて、二重になっている。そして、ベルト部４０の端部は、環状のスライド部４３に固定されている。ここで、図５は、本実施形態に係るベルト部４０の長さ調節機構を示す斜視図であり、図６は、長さ調節機構を説明するための図である。本実施形態では、ベルト調節部４２およびスライド部４３が、ベルト部４０を二重とする長さを調節することで、長さ調節機構として動作する。
【００１８】
図５および図６に示すように、ベルト部４０は、スライド部４３の孔を挿通しており、コキとも呼ばれる長さ調節部４２で折り返された後に、スライド部４３に縫合により固定されている。これにより、スライド部４３をスライドさせるだけで、ベルト部４０の二重部分の長さを調節することができ、その結果、ベルト部４０全体の長さを調節することができる。また、このような長さ調節機構によれば、一度長さを調節することで、ベルト部４０の長さが保持されるため、靴１の脱着の度に長さを調節する必要がなく、使用者の便宜を高めることができる。さらに、ベルト部４０の端部をスライド部４３に固定することで、ベルト部４０の長さを調節した場合も、ベルト部４０の端部がぶらぶらとすることがなく、ベルト部４０を踏んでしまい転倒の原因となることをなくすことができる。
【００１９】
可動係止片５０は、図２に示すように、挿通孔５１および面ファスナー５２を有しており、内側部１０に着脱自在に固定されている。挿通孔５１にはベルト部４０が挿通され、これにより、可動係止片５０にはベルト部４０が挿通されている。面ファスナー５２は、内側部１０に設けられた甲側面係止片１２に脱着可能となっている。例示の面ファスナー５２および甲側面係止片１２は、実質的に同じ形状に構成されており、両者の位置をずらすことによりできる締め付け度合いの調整は、僅かである。
可動係止片５０は、外側部２０側にある第１折り返し部１１とスライド部４３との間で可動となるようにベルト部４０が挿通されている。そして、図１に示すように、可動係止片５０の面ファスナー５２を、内側部１０の甲側面係止片１２と接合させることで、甲部３０および舌片（３２〜３４）をベルト部４０で締め付けて、挿入口６０を締めることができる。また、靴１において、可動係止片５０が外側部２０側に配置され、内側部１０に係止する構成とすることで、片麻痺の使用者であっても片手で靴１の脱着が容易となる。なお、可動係止片５０を内側部１０に係止させた場合、図１に示すように、ベルト部４０は、第１折り返し部１１で折り返された後に、可動係止片５０でさらに折り返されて、甲部３０および舌片（３２〜３４）を締めることができ、使用者の足を靴１に安定して固定することができる。
【００２０】
次に、本実施形態に係る靴１の脱着方法について説明する。使用者が靴１を履く場合、図２に示すように、可動係止片５０の面ファスナー５２を内側部１０の甲側面係止片１２から取り外すだけで、ベルト部４０による甲部３０および舌片（３２〜３４）の締め付けを緩め、挿入口６０を広くすることできる。特に、本実施形態に係る靴１では、一度、長さ調節機構４２，４３でベルト部４０の長さを調節しておくことで、挿入口６０の広さを自在に変更し保持しておくことができるため、使用者は、可動係止片５０を内側部１０から取り外すだけで、使用者の足に合った広さで挿入口６０を広げることができる。また、舌片（３２〜３４）がつま先根元部３１から略垂直方向に立ち上がるように形成されているため、挿入口６０をつま先根元部３１まで広げることができ、下肢装具を装着している使用者や、むくみにより足の挿入が困難な使用者でも、比較的容易に足を靴１の中に入れることができ、さらに舌片上部３３を掴みながら足を靴１に入れることもできる。そして、足を靴１に入れた後は、可動係止片５０の面ファスナー５２を、内側部１０の甲側面係止片１２と接合させるだけで、ベルト部４０により甲部３０および舌片（３２〜３４）を締め付けることができ、片手でも靴１を装着することができる。
【００２１】
また、使用者が靴１を最初に使用する場合や、使用者の足のむくみの度合いが日や時間によって異なる場合には、使用者は、スライド部４３をスライドさせることで、ベルト部４０が二重になる部分の長さを調節することができ、ベルト部４０全体の長さを調節することができる。ベルト部４０の長さは、長さ調節機構４２，４３により保持されるため、靴１を脱着する度にベルト部４０の長さを調節する必要がなく、使用者の負担を軽減することができる。
【００２２】
さらに、使用者が靴１を脱ぐ場合には、可動係止片５０の面ファスナー５２を内側部１０の甲側面係止片１２から取り外し、挿入口６０を広げて、靴１を脱げばよい。特に、本実施形態に係る靴１では、長さ調節機構４２，４３でベルト部４０の長さを調節しておくことで、挿入口６０の広さを自在に変更し保持しておくことができるため、使用者の足に合った広さで挿入口６０を広げることができ、挿入口６０から足を容易に出すことができる。また、本実施形態に係る靴１では、挿入口６０をつま先根元部３１まで広げることができるため、足を容易に靴１から取り出すこともできる。
【００２３】
以上のように、本実施形態に係る靴１では、可動係止片５０の面ファスナー５２が内側部１０の甲側面係止片１２に着脱する構成とすることで、たとえば片手でも、ベルト部４０で甲部３０および舌片（３２〜３４）を締め付け、あるいは、開放することができ、挿入口６０の開閉を容易に行うことができる。また、本実施形態に係る靴１では、スライド部４３をスライドさせるだけでベルト部４０の長さを調節することができるため、下肢装具を装着した使用者や、足にむくみを有する使用者であっても、足の状態に応じて挿入口６０の大きさを自在に調節することができる。さらに、本実施形態に係る靴１では、調節したベルト部４０の長さを保持することができるため、靴１を脱着する度にベルト部４０の長さを変える必要がなく、一度ベルト部４０の長さ調節をすれば、可動係止片５０を脱着させるだけで、靴１を容易に脱着することができる。
【００２４】
また、本実施形態に係る靴１では、舌片上部３３が内側部１０および外側部２０よりも上方に突出しているため、甲部３０を掴んで靴１を履くことができ、靴１をより容易に装着することができる。さらに、本実施形態に係る靴１では、舌片（３２〜３４）と内側部１０および外側部２０と切れ目なく連続して形成されているため、舌片（３２〜３４）が想定外の場所に位置してしまい使用者が靴１を履く邪魔となることを有効に防止することができる。
【００２５】
さらに、本実施形態に係る靴１では、舌片（３２〜３４）が、つま先根元部３１から立ち上がるように形成されているため、挿入口６０がつま先根元部近傍まで開口することができ、これにより、使用者は足をつま先根元部付近から入れることや、つま先根元部付近から出すことができ、足の着脱が容易に行うことができる。
【００２６】
以上、本発明の好ましい実施形態例について説明したが、本発明の技術的範囲は上記実施形態例の記載に限定されるものではない。上記実施形態例には様々な変更・改良を加えることが可能であり、そのような変更または改良を加えた形態のものも本発明の技術的範囲に含まれる。
【００２７】
たとえば、上述した実施形態では、内側部１０に甲側面係止片１２を、外側部２０側に可動係止片５０を配置する構成としたが、この構成に限定されず、外側部２０側に甲側面係止片１２を、内側部１０側に可動係止片５０を配置する構成とすることができる。ただし、内側部１０に甲側面係止片１２を配置する構成とする方が、可動係止片５０の着脱を空の中央部分で行えるため、片麻痺の使用者には使い勝手がよい。
また、第１折り返し部１１および第２折り返し部２１は必須の構成ではなく、甲側面係止片１２の位置をつま先側に移動し、可動係止片５０でのみ折り返される構成としてもよい。
【００２８】
図７は、可動係止片５０の第１変形例を説明するための図である。第１変形例に係る可動係止片５０ａは、ベルト先端部４１を収納するための収納部５３を備えている。収納部５３は、皮革部材を縫合して作製したポケットであり、収納部５３の大開口および小開口にベルト先端部４１を貫通させて収納する。可動係止片５０ａは、可動係止片５０ａの着脱を容易にするためのつまみ部５４も備えている。収納部５３を備える構成によれば、ベルト先端部４１の余りが大きい場合でも、長さ調節部４２とスライド部４３との間にループができないので安全である。
【００２９】
図８は、可動係止片の第２変形例を説明するための図である。第２変形例に係る可動係止片７０は、本体７１と、変形爪７２，ａ，７２ｂと、中央部材７３と、挿通孔７４とを備える雄具により構成されている。可動係止片７０と係合する甲側面係止片８０は、本体８１と、挿入孔８２と、係止用側孔８３ａ，８３ｂと、挿通孔８４を備えて構成されている。挿通孔７４にはベルト部４０が挿通されており、挿通孔８４には甲側面係止片を内側部１０に固定するための帯状部材（図示せず）が挿通されている。
甲側面係止片８０の挿入孔８２に可動係止片７０の変形爪７２ａ，７２ｂを挿入し、変形爪７２ａ，７２ｂを係止用側孔８３ａ，８３ｂと重なるように位置させると可動係止片７０と甲側面係止片８０とがロックされるロック機構を備える留め具を構成している。変形爪７２，ａ，７２ｂを中央部材７３側に押し込むと、ロックが解除され可動係止片７０を甲側面係止片８０から取り外すことが可能となる。可動係止片７０および甲側面係止片８０によっても、ベルト部４０による締め付けおよび開放を片手で容易に行うことが可能である。なお、可動係止片および甲側面係止片の組合せは、ロック機構を備える留め具を構成するものであれば足り、図８に例示されるものに限定されるものではない。
【符号の説明】
【００３０】
１…靴
１０…内側部
１１…第１折り返し部
１２…甲側面係止片
１３…内側部上端部
１４…外側部上端部
１５…踵上部側面
２０…外側部
２１…第２折り返し部
２２…固定部
３０…甲部
３１…つま先根元部３１
３２…舌片上部
３３…舌片中間部
３４…舌片外縁部
４０…ベルト部
４１…ベルト先端部
４２…長さ調節部
５０…可動係止片
５１…挿通孔
５２…面ファスナー
５３…収納部
５４…つまみ部
６０…挿入口
６１…踵部外縁部
【図１】
2020182658.tif 000003
【図２】
2020182658.tif 000004
【図３】
2020182658.tif 000005
【図４】
2020182658.tif 000006
【図５】
2020182658.tif 000007
【図６】
2020182658.tif 000008
【図７】
2020182658.tif 000009
【図８】
2020182658.tif 000010